(57)【要約】【課題】  結び目を解こうとする、あるいは緩めようとする方向に力が働いていても、結び目を１回目の結びで締めた状態を維持したまま、２回目の結びに進むことが可能となり、また緩み防止にも有効な結び目緩み防止具を提供する。【解決手段】  ひも通し穴２０ａ，２０ｂが左右対称に形成された左右一対のフラップ１０ａ，１０ｂと、前記左右のひも通し穴２０ａ，２０ｂに通されたひも３０を備え、前記左右一対のフラップ１０ａ，１０ｂの間隔ｄは、前記ひも３０の結び目３１を締めると狭められ、前記左右のひも通し穴２０ａ，２０ｂは幅広部２１ａ（２１ｂ）と幅狭部２２ａ（２２ｂ）が形成され、前記ひも３０の結び目３１を締めると、前記ひも３０は前記幅広部２１ａ（２１ｂ）から前記幅狭部２２ａ（２２ｂ）へ移動し前記幅狭部２２ａ（２２ｂ）に押し付けられてロックされる。【選択図】      図２
2006311928.tif 000002
【特許請求の範囲】
【請求項１】
ひも通し穴が左右対称に形成された左右一対のフラップと、前記左右のひも通し穴に通されたひもを備え、
前記左右一対のフラップの間隔は、前記ひもの結び目を締めると狭められ、
前記左右のひも通し穴は幅広部と幅狭部が形成され、前記ひもの結び目を締めると、前記ひもは前記幅広部から前記幅狭部へ移動し前記幅狭部に押し付けられてロックされることを特徴とする結び目緩み防止具。
【請求項２】
前記ひも通し穴の断面は、前記ひもの結び目側が狭く、結び目と反対側が広くなるようなテーパー状に形成されたことを特徴とする請求項１記載の結び目緩み防止具。
【請求項３】
ひも通し穴が左右対称に形成された左右一対のフラップと、前記左右のひも通し穴に通されたひもを備え、
前記左右一対のフラップの間隔は、前記ひもの結び目を締めると狭められ、
前記ひも通し穴は、フリー部とロック部が形成され、前記ひもの結び目を締めると、前記ひもは前記フリー部から前記ロック部へ移動し前記ロック部に押し付けられてロックされることを特徴とする結び目緩み防止具。
【請求項４】
前記ロック部は、一対の可撓性のツバからなり、前記一対のツバによりスリットが形成されたことを特徴とする請求項３の結び目緩み防止具。
【請求項５】
請求項１〜４のいずれかに記載の結び目緩み防止具を具備した靴。
【発明の詳細な説明】
【技術分野】
【０００１】
本発明は、靴ひも通し穴等の結び目緩み防止具に関する。
【背景技術】
【０００２】
靴ひも等を結ぶには、ひもを一度結んでから、その結び目に重ねて、再度結ぶことにより結び目を固定している。しかし、従来の靴ひも通し穴は、単なる丸穴であるので、図１の上図に示すように１回目の結び（第１段階）を行う際に、結び目を解こうとするＡＢ方向の力が働いていると、図１の下図に示すような２回目の結び（第２段階）に進む前に、結び目が緩んでしまう。
【０００３】
また、ウォーキングシューズやゴルフシューズのように、常に負荷の変動が生じるような靴は、二重に結んでいても時間の経過とともに、結び目が緩みやすい。
【発明の開示】
【発明が解決しようとする課題】
【０００４】
本発明は、上記の課題を解決するものであり、結び目を解こうとする、あるいは緩めようとする方向に力が働いていても、結び目を第１段階で締めた状態を維持したまま、第２段階へ進むことが可能となり、また緩み防止にも有効な結び目緩み防止具を提供することを目的とする。
【課題を解決するための手段】
【０００５】
そのために本発明の結び目緩み防止具は、ひも通し穴が左右対称に形成された左右一対のフラップと、前記左右のひも通し穴に通されたひもを備え、前記左右一対のフラップの間隔は、前記ひもの結び目を締めると狭められ、前記左右のひも通し穴は幅広部と幅狭部が形成され、前記ひもの結び目を締めると、前記ひもは前記幅広部から前記幅狭部へ移動し前記幅狭部に押し付けられてロックされることを特徴とする。そして、前記ひも通し穴の断面は、前記ひもの結び目側が狭く、結び目と反対側が広くなるようなテーパー状に形成されることが好ましい。
また、本発明の他の結び目緩み防止具は、ひも通し穴が左右対称に形成された左右一対のフラップと、前記左右のひも通し穴に通されたひもを備え、前記左右一対のフラップの間隔は、前記ひもの結び目を締めると狭められ、前記ひも通し穴は、フリー部とロック部が形成され、前記ひもの結び目を締めると、前記ひもは前記フリー部から前記ロック部へ移動し前記ロック部に押し付けられてロックされることを特徴とする。そして、前記ロック部は、一対の可撓性のツバからなり、前記一対のツバによりスリットが形成されることが好ましい。
そして、本発明の靴は、上記のいずれかに記載の結び目緩み防止具を具備する。
【発明の効果】
【０００６】
本発明の結び目緩み防止具の左右のひも通し穴は、幅広部と幅狭部が形成され、前記ひもの結び目を締めると、前記ひもは前記幅広部から前記幅狭部へ移動し前記幅狭部に押し付けられてロックされ、又はフリー部とロック部が形成され、前記ひもの結び目を締めると、前記ひもは前記フリー部から前記ロック部へ移動し前記ロック部に押し付けられてロックされるので、ひもを締める時はロックされ、ひもを緩める時はほどいたひもを左右に引けば、前記幅広部又は前記ロック部へ移動するので、スムーズに緩めることができる。
【０００７】
そして、上記結び目防止具を具備する靴、特に負荷の変動が生じやすいゴルフシューズでは、ひもの結び目が緩みが防止され、靴が常に足にフィットし、歩きやすく、かつプレーしやすくなる。
【発明を実施するための最良の形態】
【０００８】
本発明の実施の形態の一例を図面を参照して詳細に説明する。
図２は本発明の実施の形態に係る結び目緩み防止具の正面図及び平面図、図３はひもがひも通し穴を移動する状態を説明する図、図４（Ａ）はフラップのひも通し穴部分の拡大断面図であり、（Ｂ）はひもを締める方向にひもを引いている状態の説明図、図５は本発明の他の実施の形態に係る結び目緩み防止具の正面図及び平面図である。
【０００９】
左右一対のフラップ１０ａ，１０ｂには、ひも通し穴２０ａ，２０ｂが左右対称に形成されている。前記ひも通し穴２０ａ，２０ｂには、ひも３０が通され、前記ひも３０の結び目３１を締めると前記フラップ１０ａ，１０ｂの間隔ｄは狭められるように結ばれている（図２参照）。
【００１０】
前記ひも通し穴２０ａ（２０ｂ）は幅広部２１ａ（２１ｂ）と幅狭部２２ａ（２２ｂ）が形成され（図３の平面図を参照）、前記ひも３０の結び目３１を締めると、前記ひも３０は前記幅広部２１ａ（２１ｂ）から前記幅狭部２２ａ（２２ｂ）へ移動し前記幅狭部２２ａ（２２ｂ）に押し付けられてロックされる（図３参照）。
【００１１】
前記ひも通し穴２０ａ（２０ｂ）の断面は、図５（Ａ）に示すように前記ひも３０の結び目３１側（図４（Ａ）の上側）が狭く、結び目３１と反対側（図４（Ａ）の下側）が広くなるようなテーパー状に形成される。これは、ひも３０を締めた際に、ひものズレを生じにくくするためである。前記フラップ１０ａ（１０ｂ）は、ポリエチレン等の粘りのある素材が適している。ポリエチレンのような柔軟で粘りのある素材を用いることで、図４（Ｂ）のように矢印の方向へひも３０が引かれた時は、抵抗なくスムーズに移動するが、矢印と反対方向に引かれるとテーパーが付いているためにひも３０をロックさせようとする抵抗が生じ、緩み防止機能が有効に働く。
【００１２】
図５は本発明の他の実施の形態に係る結び目緩み防止具であり、フラップ１１０ａには、ひも通し穴１２０ａが左右対称に形成されている。前記ひも通し穴１２０ａには、ひもが通され、このひもの結び目を締めると前記フラップ１１０ａの間隔は狭められるように結ばれている
【００１３】
前記ひも通し穴１２０ａはフリー部１２１ａとロック部１２２ａが形成され、ひもの結びを締めると、ひもは前記フリー部１２１ａから前記ロック部１２２ａへ移動し前記ロック部１２２ａに押し付けられてロックされる。前記ロック部１２２ａは、一対の可撓性のツバからなり、前記一対のツバによりスリット１２３ａが形成され、このスリット１２３ａにひもがロックされる。また、前記ひも通し穴１２０ａの周縁部１２４ａは、厚みを持たせて繰り返しの使用による亀裂、破損等を生じにくくしている。
【００１４】
図６は、図５で説明した実施形態に係る結び目緩み防止具を具備した靴Ｓの要部平面図である。左右一対のフラップ３１０ａ，３１０ｂには、結び目に対応する一番上のひも通し穴として前記ロック部を具備するひも通し穴３２０ａ，３２０ｂが左右対称に複数形成され、それより下のひも通し穴３５０，３５０は、ロック部なしの通常のひも通し穴が形成されている。前記ひも通し穴３２０ａ，３２０ｂ及び通常のひも通し穴３５０，３５０には、ひも３３０が通され、前記ひも３３０を結ぶことにより前記フラップ３１０ａ，３１０ｂの間隔は狭められていく。そして、前記フラップ３１０ａ，３１０ｂの下には、舌革３４０が配設される。
【００１５】
前記ひも通し穴３２０ａ，３２０ｂはフリー部とロック部が形成され、前記ひも３３０を互いに結び締めると、前記ひも３３０は前記フリー部から前記ロック部へ移動し前記ロック部に押し付けられてロックされ、靴ひもの緩みが防止される。
【図面の簡単な説明】
【００１６】
【図１】１回目（上図）と２回目（下図）の結び状態を示す説明図である。
【図２】本発明の実施の形態に係る結び目緩み防止具の正面図及び平面図である。
【図３】ひもがひも通し穴を移動する状態を説明する図である。
【図４】（Ａ）はフラップのひも通し穴部分の拡大断面図であり、（Ｂ）はひもを締める方向にひもを引いている状態の説明図である。
【図５】本発明の他の実施の形態に係る結び目緩み防止具の正面図及び平面図である。
【図６】本発明の実施の形態に係る結び目緩み防止具を具備した靴の要部平面図である。
【符号の説明】
【００１７】
１０ａ，１０ｂ，１１０ａ，３１０ａ，３１０ｂ  フラップ
２０ａ，２０ｂ，１２０ａ，３２０ａ，３２０ｂ  ひも通し穴
２１ａ，２１ｂ  幅広部
２２ａ，２２ｂ  幅狭部
３０，３３０  ひも
３１  結び目
１２１ａ  フリー部
１２２ａ  ロック部
１２３ａ  スリット
１２４ａ  周縁部
３４０  舌革
３５０  （通常の）ひも通し穴
【図１】
2006311928.tif 000003
【図２】
2006311928.tif 000004
【図３】
2006311928.tif 000005
【図４】
2006311928.tif 000006
【図５】
2006311928.tif 000007
【図６】
2006311928.tif 000008